(57)【要約】【課題】グループの全ての構成員によって同意された開封時期に電子カプセルを開封する情報装置を提供する。【解決手段】スマートフォン１００は、電子カプセルの開封指示情報を入力するタッチパネル１５７と、タッチパネル１５７によって入力された電子カプセルの開封指示情報をサーバ２００に送り、電子カプセルの作成に参加したグループの全ての構成員によって電子カプセルの開封のための送付が指示されたときにサーバ２００から電子カプセルを受け取る通信部１５４と、サーバ２００から通信部１５４を介して送られる電子カプセルに含まれる電子カプセル素材を再生する再生部を備える。【選択図】図５
2018097762.tif 000002
【特許請求の範囲】
【請求項１】
電子カプセルの開封のための送付を指示する情報を入力するための操作部と、
前記操作部によって入力された前記電子カプセルの開封のための送付を指示する情報をサーバに送り、前記電子カプセルの作成に参加したグループの全ての構成員によって前記電子カプセルの開封のための送付が指示されたときに前記サーバから前記電子カプセルを受け取る通信部と、
前記サーバから前記通信部を介して送られる前記電子カプセルに含まれる電子カプセル素材を再生する再生部と
を備える情報装置。
【請求項２】
前記電子カプセル素材は静止画データ、動画データ、音声データ、テキストデータのうち少なくとも一つである、請求項１記載の情報装置。
【請求項３】
前記通信部は、
（ｉ）前記電子カプセルの開封時期になった旨の情報を前記サーバから受け取り、前記操作部によって入力された前記電子カプセルの開封候補日時情報を前記サーバに送り、
（ｉｉ）前記電子カプセルの作成に参加したグループの全ての構成員から送られた前記電子カプセルの開封候補日時情報を用いて決定された前記電子カプセルの開封日時情報を受け取る、請求項１記載の情報装置。
【請求項４】
前記電子カプセルの作成に参加したグループの全ての構成員によって前記電子カプセルの開封を行うための再生指示を受け取ったかを判断する判断部をさらに有し、
前記判断部は、グループの全ての構成員によって前記電子カプセルの開封を行うための再生指示を受け取ったかを判断した場合、前記再生部に前記電子カプセルに含まれる電子カプセル素材を再生させる、請求項１記載の情報装置。
【請求項５】
電子カプセルを保存する格納部と、
前記電子カプセルの作成に参加したグループの全ての構成員によって前記電子カプセルの開封のための送付が指示されたか否かを判断する制御部と、
前記制御部が前記グループの全ての構成員によって前記電子カプセルの開封のための送付が指示されたと判断した場合、前記グループの構成員に前記電子カプセルを送付する通信部と
を備えるサーバ。
【発明の詳細な説明】
【技術分野】
【０００１】
本開示は、電子的にタイムカプセル化した電子カプセルをグループの構成員によって設定された開封時期に開封するための情報装置およびサーバに関する。
【背景技術】
【０００２】
デジタル画像などの電子化技術が登場する前から各人が思い出の品を入れた壷などの容器（タイムカプセル）を地中に埋め、所定の期間が経過後にその思い出の品を掘り起こして当時を回想して懐かしむことが広く知られている。
【０００３】
近年、デジタルカメラの進展により誰もが容易に高画質のデジタル画像を取得することは可能となり、特許文献１では、電子的にタイムカプセル化した電子カプセルを管理サーバに長期間保存して、電子カプセルを開封することが提案されている。
【先行技術文献】
【特許文献】
【０００４】
【特許文献１】特開２００２−３３４００８号公報
【発明の概要】
【発明が解決しようとする課題】
【０００５】
特許文献１の方法であると、各人が電子カプセルの開封を行えるが、以下の課題を有している。例えば、グループの大切な思い出を電子カプセル化した場合、特許文献１の方法では各人が思い出に耽ることができるものの、グループの構成員（友達や仲間など）が懐かしい思い出を共有し合うことができなかった。そのため、電子カプセルの開封によってグループの構成員の再会のきっかけを逃してしまうことになる。
【０００６】
本開示は、電子的にタイムカプセル化した電子カプセルをグループの全ての構成員によって同意された開封時期に開封する情報装置を提供することを目的とする。
【０００７】
また本開示は、グループの全ての構成員によって同意された電子カプセルの開封時期に保管中の電子カプセルを送付するサーバを提供することを目的とする。
【課題を解決するための手段】
【０００８】
本開示にかかる情報装置は、電子カプセルの開封のための送付を指示する情報を入力するための操作部と、前記操作部によって入力された前記電子カプセルの開封のための送付を指示する情報をサーバに送り、前記電子カプセルの作成に参加したグループの全ての構成員によって前記電子カプセルの開封のための送付が指示されたときに前記サーバから前記電子カプセルを受け取る通信部と、前記サーバから前記通信部を介して送られる前記電子カプセルに含まれる電子カプセル素材を再生する再生部とを備える。
【０００９】
前記電子カプセル素材は静止画データ、動画データ、音声データ、テキストデータのうち少なくとも一つである。
【００１０】
本開示にかかるサーバは、電子カプセルを保存する格納部と、前記電子カプセルの作成に参加したグループの全ての構成員によって前記電子カプセルの開封のための送付が指示されたか否かを判断する制御部と、前記制御部が前記グループの全ての構成員によって前記電子カプセルの開封のための送付が指示されたと判断した場合、前記グループの構成員に前記電子カプセルを送付する通信部とを備える。
【発明の効果】
【００１１】
本開示にかかる情報装置は、グループの全ての構成員によって同意された電子カプセルの開封時期に電子カプセルを開封するのに有効である。
【００１２】
また、本開示にかかるサーバは、グループの全ての構成員によって同意された電子カプセルの開封時期に保管中の電子カプセルを送付するのに有効である。
【図面の簡単な説明】
【００１３】
【図１】スマートフォン１００とサーバ２００の通信システム構成図
【図２】スマートフォン１００の電気的構成図
【図３】サーバ２００の電気的構成図
【図４】電子カプセルを作成するグループの形成および電子カプセルの作成の動作を示すフローチャート
【図５】電子カプセルの開封の動作を示すフローチャート
【図６】電子カプセルの開封の動作の変形例を示すフローチャート
【図７】（Ａ）ビデオ通話の起動時のスマートフォンの液晶モニタ画面を示す図、（Ｂ）電子カプセル素材の再生の指示状態を示す図、（Ｃ）電子カプセル素材の再生状態を示す図
【発明を実施するための形態】
【００１４】
以下、適宜図面を参照しながら、実施の形態を詳細に説明する。
【００１５】
［実施の形態１］
本実施の形態１にかかる通信システムの構成および動作を説明する。
【００１６】
［１．構成］
以下図を用いて本開示に係る通信システムの構成を説明する。
【００１７】
［１−１．通信システムの構成］
図１は、本開示における通信システムの構成を示した図である。通信システムは、スマートフォン１００（１００Ａ〜１００Ｄ）とサーバ２００とで構成される。
【００１８】
図１では、複数のスマートフォン１００Ａ〜１００Ｄが、ネットワーク３００を介して、サーバ２００に接続された構成を示している。本開示では、各スマートフォン１００Ａ〜１００Ｄの各使用者が電子カプセルを作成するグループの構成員とする。
【００１９】
各スマートフォン１００Ａ〜１００Ｄは、ネットワーク３００を介してサーバ２００に電子カプセルに格納される電子カプセル素材を送信することができる。電子カプセル素材は例えば、静止画データ、動画データ、音声データ、テキストデータのうち少なくとも一つである。つまりグループの各構成員は、電子カプセルに格納したいと思う、思い出の電子情報である電子カプセル素材を、ネットワーク３００を介してサーバ２００にアップロードすることができる。またサーバ２００は、各スマートフォン１００Ａ〜１００Ｄから送信されてくる各電子カプセル素材を受信し、全ての電子カプセル素材を取りまとめた電子カプセルを作成し、グループの構成員によって指定された所定期間の間、格納する。
【００２０】
グループの代表者はサーバ２００上に作成された電子カプセルを開封する開封時期を設定する。サーバ２００は、前記開封時期に近づくとグループの各構成員のスマートフォン１００Ａ〜１００Ｄに電子カプセルを開封する開封時期になった旨を連絡する。それを受けてグループの各構成員は自分らの都合のよい日時を、スマートフォン１００Ａ〜１００Ｄを用いてサーバ２００に回答することで、サーバ２００は電子カプセルを開封する開封日時を決定する。
【００２１】
サーバ２００は、グループの各構成員のスマートフォン１００Ａ〜１００Ｄに決定した開封日時を連絡する。グループの各構成員のスマートフォン１００Ａ〜１００Ｄのアプリケーションは、開封日時になるとアラームを出し、グループの各構成員に開封時期を知らせる。グループの各構成員はアプリケーションを起動してビデオ通話を行う。各自のスマートフォン１００Ａ〜１００Ｄの表示画面上にグループの構成員の顔が写ることでビデオ通話が開始される。全て構成員間のビデオ通話が開始され、電子カプセルの開封の合意が形成されると、グループの各構成員は各自のスマートフォン１００Ａ〜１００Ｄを用いて電子カプセルの開封のための送付をサーバ２００に指示していき、全ての指示が出揃うとサーバ２００から電子カプセルを構成する電子カプセル素材が各自のスマートフォン１００Ａ〜１００Ｄにダウンロードされる。その後、グループの代表者のスマートフォン１００Ａにダウンロードされた電子カプセル素材の再生が開始される。この際、グループの各構成員はお互いのビデオ通話を通じて、電子カプセル素材の再生を見ながら、当時を懐かしみつつ、いろいろな話題で盛り上がることができる。
【００２２】
本実施の形態１では、電子カプセル素材の送受信装置として、スマートフォン１００Ａ〜１００Ｄを例示するが、送受信装置はこれに限定されない。すなわち、送受信装置は、タブレット端末、表示モニタ付のデジタルカメラのような、電子カプセル素材をサーバ２００に送受信可能な装置であればよい。
【００２３】
以下、本実施の形態では、電子カプセル素材の送受信装置の一例として、スマートフォンを挙げ、電子カプセルの格納装置の一例としてサーバを挙げて説明する。
【００２４】
［１−２．スマートフォンの構成］
図２は、スマートフォン１００の電気的構成図である。スマートフォン１００は、コントローラ１５１、ワークメモリ１５２、フラッシュメモリ１５３、通信部１５４、画像処理部１５５、液晶モニタ１５６、タッチパネル１５７等から構成されている。図示していないが、撮像部を備えていてもよい。
【００２５】
コントローラ１５１は、スマートフォン１００上の処理を実行する処理部である。コントローラ１５１は、ワークメモリ１５２、フラッシュメモリ１５３、通信部１５４、画像処理部１５５、液晶モニタ１５６、タッチパネル１５７に電気的に接続されている。コントローラ１５１は、タッチパネル１５７を用いての使用者の操作情報を受け付ける。コントローラ１５１は、フラッシュメモリ１５３に格納されているデータを読み出すことができる。また、スマートフォン１００の各部に供給される電力等のシステムを全体的に制御している。また、図示していないが、コントローラ１５１は、電話機能や、インターネットを介してダウンロードした各種アプリケーションを実行する。
【００２６】
コントローラ１５１は、ハードワイヤードな電子回路で構成してもよいし、マイクロコンピュータなどで構成してもよい。また、コントローラ１５１は、画像処理部１５５などと共に１つの半導体チップで構成してもよい。また、図示していないが、コントローラ１５１は内部にＲＯＭを有している。また、ＲＯＭには、通信制御に関するプログラムの他、スマートフォン１００全体の動作を統括制御するためのプログラム、ビデオ通話を行うプログラム、電子カプセル素材の作成、開封のためのプログラムが記憶されている。
【００２７】
ワークメモリ１５２は、コントローラ１５１が各種処理動作を実行するために必要な情報を一時的に格納するメモリである。
【００２８】
フラッシュメモリ１５３は、各種データを格納する大容量のディスクドライブである。
【００２９】
上述したように、フラッシュメモリ１５３に格納された各種データは、適宜コントローラ１５１により読み出し可能である。なお、本実施の形態では、フラッシュメモリ１５３を備えたが、フラッシュメモリでなくハードディスクドライブ等を備えても良い。
【００３０】
通信部１５４は、コントローラ１５１から受け取った静止画データ、動画データ、音声データ、テキストデータなどの電子カプセル素材を、インターネット網を介して、サーバ２００などの他の機器に送信することができる。通信部１５４は、例えば、有線ＬＡＮや、無線ＬＡＮにより実現することが可能である。
【００３１】
画像処理部１５５は、フラッシュメモリ１５３から読み出した画像データに各種の処理を施して、液晶モニタ１５６に表示するための画像を生成する。各種処理としては、伸張処理等が挙げられるが、これらに限定されない。
【００３２】
画像処理部１５５は、ハードワイヤードな電子回路で構成してもよいし、プログラムを用いたマイクロコンピュータなどで構成してもよい。
【００３３】
液晶モニタ１５６は、コントローラ１５１から指示された画面を表示する表示デバイスである。
【００３４】
タッチパネル１５７は、使用者の操作情報を受け付ける入力デバイスである。なお、本実施の形態では、使用者の操作情報を受け付ける入力デバイスとしてタッチパネル１５７を備えたが、タッチパネルでなくハードキーを備えても良い。
【００３５】
［１−３．サーバの構成］
サーバ２００の構成について、図３を用いて説明する。図３は、サーバ２００の電気的構成図である。
【００３６】
サーバ２００は、通信部２１０、コントローラ２２０、ワークメモリ２３０、ＨＤＤ（ハードディスクドライブ）２４０、画像処理部２５０等から構成されている。
【００３７】
通信部２１０は、インターネット網を介して、スマートフォン１００などの他の機器からの情報（電子カプセル素材情報、要求情報、応答情報など）を送受信することができる。通信部２１０は、例えば、有線ＬＡＮや、無線ＬＡＮにより実現することが可能である。
【００３８】
コントローラ２２０は、サーバ２００の処理を実行する処理部である。コントローラ２２０は、通信部２１０、ワークメモリ２３０、ＨＤＤ２４０、画像処理部２５０に電気的に接続されている。コントローラ２２０は、通信部２１０を介して取得した情報（電子カプセル素材情報や要求情報など）を処理する。同様に、コントローラ２２０は、処理に基づいて、情報（電子カプセル素材情報や応答情報など）を、通信部２１０を介して送信する。コントローラ２２０は、電子カプセルを作成するのにあたって、適宜ワークメモリ２３０、ＨＤＤ２４０、画像処理部２５０を使用する。また、コントローラ２２０は、ワークメモリ２３０、ＨＤＤ２４０に格納されているデータを読み出すことができる。また、コントローラ２２０は、サーバ２００の各部に供給される電力等のシステムを全体的に制御している。
【００３９】
ワークメモリ２３０は、コントローラ２２０が各種処理動作を実行するために必要な情報を一時的に格納したメモリである。
【００４０】
ＨＤＤ２４０は、電子カプセルなどの各種データを格納する大容量のディスクドライブである。上述したように、ＨＤＤ２４０に格納された各種データは、適宜コントローラ２２０により読み出し可能である。なお、本実施の形態では、ＨＤＤ２４０を備えたが、他の記録媒体を備えても良い。
【００４１】
画像処理部２５０は、コントローラ２２０からの指示に基づいて、入力された画像情報に対して各種画像処理を行なう。各種画像処理には、複合処理、リサイズ処理、合成処理、符号処理が含まれる。
【００４２】
［２．動作］
以下図を用いて本開示に係る通信システムの動作を説明する。
【００４３】
［２−１．電子カプセル作成の動作］
まず、電子カプセルを作成するグループの形成および電子カプセルの作成の動作を説明する。図４は電子カプセルを作成するグループの形成および電子カプセルの作成の動作を示すフローチャートである。
【００４４】
本開示例では、簡単化のために電子カプセルを作成するグループとしてスマートフォン１００Ａとスマートフォン１００Ｂを使用する構成員Ａと構成員Ｂの２人によるグループが形成されるとする。また構成員Ａがグループの代表者とする。このグループは、卒業旅行で行ったハワイの思い出に関連する電子カプセル素材として動画データや写真（静止画データ）、音声データ、メッセージ（テキストデータ）を電子カプセル化して、４年後に開封することを考え、この考えのもとこれから商用の電子カプセル管理サービスに申し込むものとする。
【００４５】
まず図４のステップＳ４０において、構成員Ａはスマートフォン１００Ａのアプリケーションを用いて電子カプセル管理サービスを申し込むグループを形成する。グループを形成する際、電子カプセルに収容される電子カプセル素材を提供する構成員情報（構成員Ａ、Ｂ）、グループを特定するためのグループ名（Ｘ大学卒業生）、電子カプセルのタイトル（例えば、卒業旅行の思い出）などのグループ情報を作成する。
【００４６】
次にステップＳ４１において、構成員Ａはスマートフォン１００Ａのアプリケーションを用いて電子カプセルの開封日時を設定する。その後、ステップＳ４１において、構成員Ａは電子カプセル（卒業旅行の思い出）に収容したい電子カプセル素材をスマートフォン１００Ａに格納される動画データや写真（静止画データ）、音声データ、メッセージ（テキストデータ）の中から選択し、選択した電子カプセル素材をグループ情報および電子カプセルの保管期間を示す第１の開封日時（２０２０年１２月８日ＡＭ９：００）とともにサーバ２００にアップロードする。ステップＳ４４において、サーバ２００のコントローラ２２０はＨＤＤ２４０にグループ名（Ｘ大学卒業生）およびグループの構成員情報（構成員Ａ、Ｂ）のファイル、電子カプセルのタイトル（卒業旅行の思い出）の電子カプセルのファイルを作成する。コントローラ２２０は電子カプセルのファイルに構成員Ａによってアップロードされた電子カプセル素材を収納する。
【００４７】
構成員Ａは、スマートフォン１００Ａを用いてグループの構成員Ｂに電子カプセル（卒業旅行の思い出）に収容したい電子カプセル素材の提供を求める。構成員Ｂは、その求めに応じてステップＳ４３においてスマートフォン１００Ｂのアプリケーションを用いてフラッシュメモリ１５３に格納される卒業旅行の思い出に関連する電子カプセル素材を選択し、選択した電子カプセル素材をグループ情報とともにサーバ２００にアップロードする。ステップＳ４５において、サーバ２００のコントローラ２２０は卒業旅行の思い出の電子カプセルに構成員Ｂによってアップロードされた電子カプセル素材を新たに収納し、電子カプセルを完成させる。
【００４８】
ステップＳ４６において、サーバ２００はＨＤＤ２４０において構成員Ａによって送られた電子カプセルの保管期間を示す第１の開封日時まで完成された電子カプセルを安全に保管する。
【００４９】
以上のように構成員Ａ、Ｂは、商用の電子カプセル管理サービスを用いることで卒業旅行の思い出の電子カプセル素材を詰め込んだ電子カプセルを４年間、安全に保管することができる。
【００５０】
［２−２．電子カプセル開封の動作］
次に電子カプセルの開封の動作を説明する。図５は電子カプセルの開封の動作を示すフローチャートである。
【００５１】
まず図５のステップＳ５０において、サーバ２００のコントローラ２２０は電子カプセルの保管時期になったかを判定する。具体的には、現在時刻が第１の開封日時（２０２０年１２月８日ＡＭ９：００）になったかを判定する。開封日時になったならば、スマートフォン１００Ａ、Ｂにその旨を通知する。ここで、第１の開封日時は暫定的なものであり、その後のステップで正式に電子カプセルの開封日時（第２の開封日時）を決定する。
【００５２】
次にステップＳ５１において、構成員Ａは自身の都合を考慮して開封候補日時を決定し、決定した複数の開封候補日時をスマートフォン１００Ａのタッチパネル１５７で入力して、通信部１５４を介してサーバ２００に送付する。同様にステップＳ５２において、構成員Ｂは自身の都合を考慮して複数の開封候補日時を決定し、決定した開封候補日時をスマートフォン１００Ｂのタッチパネル１５７で入力して、通信部１５４を介してサーバ２００に送付する。
【００５３】
次にステップＳ５３において、サーバ２００は構成員Ａ、Ｂによって送付された各複数の開封候補日時を受け取り、コントローラ２２０は構成員Ａ、Ｂに都合のよい第２の候補日時を決定する。その後、サーバ２００のコントローラ２２０は電子カプセルの開封時期になったかを判定する。具体的には、現在時刻が第２の開封日時（例えば、２０２０年１２月８日ＰＭ１：００）になったかを判定する。開封日時になったならば、スマートフォン１００Ａ、Ｂにその旨を通知する。
【００５４】
次にステップＳ５５において、構成員Ａはスマートフォン１００Ａによってサーバ２００から最終開封時期を受け取り、ビデオ通話アプリを起動する。同様にステップＳ５６において、構成員Ｂはスマートフォン１００Ｂによってサーバ２００から最終開封時期を受け取り、ビデオ通話アプリを起動する。図７（Ａ）は構成員Ａがビデオ通話アプリを起動した時のスマートフォン１００Ａの液晶モニタ１５６の表示画面である。液晶モニタ１５６の表示画面には、電子カプセルの開封前の背景画像７１と構成員Ａの顔画像７２が表示されている。構成員Ｂがビデオ通話アプリを起動すると、お互いのスマートフォン１００の液晶モニタ１５６に相手の顔情報を表示させつつ、会話をすることができる。
【００５５】
その後、構成員Ａ、Ｂはサーバ２００に卒業旅行の思い出の電子カプセルの開封のための送付指示をそれぞれ行う。この各開封の指示をサーバ２００に行うことによってグループの全ての構成員によって電子カプセルの開封を同意したことになる。
【００５６】
次にステップＳ５７において、サーバ２００のコントローラ２２０はグループ全構成員Ａ、Ｂの送付指示情報を受け取ったかを判断する。グループ全構成員Ａ、Ｂの送付指示情報を受け取ったと判断した場合、コントローラ２２０は電子カプセルをグループの代表者である構成員Ａのスマートフォン１００Ａにだけ送る。
【００５７】
構成員Ａは保管されていた電子カプセルを受け取り、ステップＳ５８において電子カプセルの再生のためのボタンとして図７（Ｂ）に示される液晶モニタ１５６の表示画面上のボタン７５を押下する。するとステップＳ５９においてスマートフォン１００Ａによって電子カプセルの再生動作を実行する。ここで、構成員Ａ、Ｂ間のビデオ通話は、ステップＳ５５、５６以降、継続されている。図７（Ｂ）は構成員Ａによる電子カプセル素材の再生を指示する状態を示す図である。構成員Ａのスマートフォン１００Ａの表示画面の情報７４はビデオ通話を通じて構成員Ｂのスマートフォン１００Ｂに送られているので、構成員Ｂのスマートフォン１００Ｂの表示画面も構成員Ａのスマートフォン１００Ａの表示画面と同様、図７（Ｂ）に示す状態となっている。したがって、構成員Ａが電子カプセル素材の再生の指示を行えば、他の構成員Ｂのスマートフォン１００にも同じ再生画面を共有できる。このように電子カプセルに格納された動画データや写真（静止画データ）、音声データ、メッセージ（テキストデータ）などを順次視聴できる。
【００５８】
グループの各構成員Ａ、Ｂは互いのビデオ通話を通じて、スマートフォン１００Ａによる電子カプセル素材の再生を見ながら、ハワイでの卒業旅行の話で盛り上がり、お互いの近況を話したり、再会を誓うことができる。図７（Ｃ）に示すように静止画７６および静止画７６の周りを彩る背景グラフィックス７７などの電子カプセルの開封の瞬間をグループの参加者全員で立ち会うことができ、図７（Ｂ）、（Ｃ）における開封前後において各構成員Ａ、Ｂはお互いの構成員Ａ、Ｂの顔画像７２、７３を見ながら感動を分かち合うことができる。
【００５９】
以上のように構成員Ａ、Ｂは、商用の電子カプセル管理サービスを用いることで卒業旅行の思い出の電子カプセル素材を詰め込んだ電子カプセルを、４年後にビデオ通話で通話しつつ、グループの構成員の皆が協力して開封・再生することができる。
【００６０】
上記実施の形態では、図５においてグループ全構成員Ａ、Ｂの開封指示情報を受け取ったと判断した場合、コントローラ２２０はグループの代表者である構成員Ａだけのスマートフォン１００Ａに電子カプセルを送った。しかし、図６に示すようにグループ全構成員Ａ、Ｂの開封のための送付指示情報を受け取ったと判断した場合、コントローラ２２０は電子カプセルをグループ全構成員Ａ、Ｂのスマートフォン１００Ａ、１００Ｂに送ってもよい。この場合、構成員Ａ、Ｂはそれぞれ電子カプセルを受け取り、各構成員がステップＳ６０、Ｓ６１において電子カプセルの再生のためのボタンとして各液晶モニタ１５６の表示画面上のボタン７５を押下する。
【００６１】
ステップＳ６２、Ｓ６３において、スマートフォン１００Ａ、１００Ｂの各コントローラ１５１は、ステップＳ６０、Ｓ６１において他の構成員の再生ボタンの押下情報を取得したかを監視している。スマートフォン１００Ａ、１００Ｂの各コントローラ１５１は、他の全構成員（本例では１名）の再生ボタンの押下情報を取得したと判断した場合、ステップＳ６４、Ｓ６５においてグループ構成員Ａ、Ｂのスマートフォン１００Ａ、１００Ｂの各コントローラ１５１は、ほぼ同時に電子カプセルの再生動作を起動させることができる。このことで、グループ構成員Ａ、Ｂは電子カプセルに格納された動画データや写真（静止画データ）、音声データ、メッセージ（テキストデータ）などをほぼ同時に順次視聴できる。
【００６２】
また各構成員Ａ、Ｂは電子カプセル素材の再生後、電子カプセル素材をデザイン、レイアウトの変更などの編集を加えてファイルとしてフラッシュメモリ１５３に保存してもよい。
【００６３】
このように図６の方法を用いれば、グループ構成員のスマートフォン１００Ａ、１００Ｂで電子カプセルの再生のタイミングの同期をとることができるので、図７（Ｃ）に示すように電子カプセルの開封の瞬間をグループの参加者全員で立ち会うことができる。
【００６４】
［３．まとめ］
以上のように、情報装置（スマートフォン１００）は、電子カプセルの開封のための送付を指示する情報を入力するための操作部（タッチパネル１５７）と、前記操作部によって入力された電子カプセルの開封のための送付を指示する情報をサーバ２００に送り、電子カプセルの作成に参加したグループの全ての構成員によって電子カプセルの開封のための送付が指示されたときにサーバ２００から電子カプセルを受け取る通信部１５４と、サーバ２００から通信部１５４を介して送られる電子カプセルに含まれる電子カプセル素材を再生する再生部（コントローラ１５１、ワークメモリ１５２、画像処理部１５５など）を備える。これにより、本開示にかかるスマートフォン１００は、グループの全ての構成員によって同意された電子カプセルの開封時期に電子カプセルを開封するのに有効である。
【００６５】
また電子カプセル素材は静止画データ、動画データ、音声データ、テキストデータのうち少なくとも一つである。
【００６６】
また通信部１５４は、（ｉ）電子カプセルの開封時期になった旨の情報をサーバ２００から受け取り、操作部によって入力された電子カプセルの開封候補日時情報をサーバに送り、（ｉｉ）電子カプセルの作成に参加したグループの全ての構成員から送られた電子カプセルの開封候補日時情報を用いて決定された前記電子カプセルの開封日時情報を受け取る。これにより、サーバ２００に電子カプセルの開封のスケジュール調整を実行させることによりグループの全ての構成員の都合のよい日時に電子カプセルの開封を行うことができる。
【００６７】
また情報装置（スマートフォン１００）は、電子カプセルの作成に参加したグループの全ての構成員によって電子カプセルの開封を行うための再生指示を受け取ったかを判断する判断部（コントローラ１５１）をさらに有する。前記判断部は、グループの全ての構成員によって電子カプセルの開封を行うための再生指示を受け取ったかを判断した場合、再生部（コントローラ１５１、ワークメモリ１５２、画像処理部１５５など）に電子カプセルに含まれる電子カプセル素材を再生させる。これにより、グループの全ての構成員の間で電子カプセルの再生のタイミングの同期をとることができるので、電子カプセルの開封の瞬間をグループの参加者全員で立ち会うことができる。
【００６８】
以上のように、サーバ２００は、電子カプセルを保存する格納部（ＨＤＤ２４０）と、電子カプセルの作成に参加したグループの全ての構成員によって電子カプセルの開封のための送付が指示されたか否かを判断する制御部（コントローラ２２０）と、制御部がグループの全ての構成員によって電子カプセルの開封のための送付が指示されたと判断した場合、グループの構成員に電子カプセルを送付する通信部２１０とを備える。これにより、本開示にかかるサーバ２００は、グループの全ての構成員によって同意された電子カプセルの開封時期に保管中の電子カプセルを送付するのに有効である。
【００６９】
［他の実施の形態］
本開示は、上記実施の形態に限定されず、種々の実施形態が考えられる。
【００７０】
以下、本開示の他の実施形態についてまとめて記載する。
【００７１】
本実施の形態では、簡単化のために電子カプセルを作成するグループとしてスマートフォン１００Ａとスマートフォン１００Ｂを使用する構成員Ａと構成員Ｂの２人によるグループが形成されるとしたが、３人以上の構成員によってグループを形成してもよい。
【００７２】
上記実施の形態では、図４においてアップロードされた電子カプセル素材はそのままサーバ２００に電子カプセルとして収納されるとした。しかし、サーバ２００においてアップロードされた電子カプセル素材を画像処理部２５０などで編集して電子カプセルに収納してもよい。
【００７３】
上記実施の形態では、サーバ２００は電子カプセルの作成に参加したグループの全ての構成員によって電子カプセルの開封のための送付指示がされたときに電子カプセルを各構成員または代表の構成員のスマートフォン１００に送るとしたが、電子カプセルに含まれる電子カプセル素材を編集した１つのデジタルアルバムを送ってもよい。さらに電子カプセル管理サービスの運営会社はサービスの一環としてデジタルアルバムを製本した本を全ての構成員に送ってもよい。
【００７４】
以上のように、本開示における技術の例示として、実施の形態を説明した。そのために、添付図面および詳細な説明を提供した。
【００７５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７６】
また上述の実施の形態は、本開示における技術を例示するためのものであるから、特許請求の範囲またはその均等の範囲において種々の変更、置き換え、付加、省略などを行うことができる。
【産業上の利用可能性】
【００７７】
本開示は、ネットワーク経由で機器間において映像データ（静止画データ、動画データ）などを通信する情報装置、具体的には、ＰＣ（パーソナルコンピュータ）、タブレット端末などに、本開示は適用可能である。
【符号の説明】
【００７８】
１００、１００Ａ、１００Ｂ、１００Ｃ、１００Ｄ  スマートフォン
１５１  コントローラ
１５２  ワークメモリ
１５３  フラッシュメモリ
１５４  通信部
１５５  画像処理部
１５６  液晶モニタ
１５７  タッチパネル
２００ サーバ
２１０  通信部
２２０  コントローラ
２３０  ワークメモリ
２４０  ＨＤＤ
２５０  画像処理部
３００  ネットワーク
【図１】
2018097762.tif 000003
【図２】
2018097762.tif 000004
【図３】
2018097762.tif 000005
【図４】
2018097762.tif 000006
【図５】
2018097762.tif 000007
【図６】
2018097762.tif 000008
【図７】
2018097762.tif 000009